(57)【要約】【課題】  建築壁の一部に設ける出入口に嵌って引戸やドアが装着される門形枠体を鉄筋下地補強に取付ける構造であって、調整が手軽に出来る枠体の取付け構造の提供。【解決手段】  縦補強材３には概略コ形断面の長尺材をなす第１パッキング材１４を取着し、縦桟１の背面には概略コ形断面の長尺材を成す第２パッキング材１５を取付け、これら第１パッキング材１４と第２パッキング材１５の両側板を互いに当接して抱き合わせ、上記引戸２やドアが閉じた場合に縦桟１との間に隙間が発生しないように調整して該縦桟１を起立し、この状態で互いに抱き合っている上記側板をネジ止めなどにて連結・固定する。【選択図】    図５
2007262803.tif 000002
【特許請求の範囲】
【請求項１】
建築壁の一部に設ける出入口に嵌って引戸やドアが装着される門形枠体を鉄筋下地補強に取付ける構造において、鉄筋下地補強には概略コ形断面の長尺材をなす第１パッキング材を取着し、枠体の背面には概略コ形断面の長尺材を成す第２パッキング材を取付け、これら第１パッキング材と第２パッキング材の両側板を互いに当接して抱き合わせ、上記引戸やドアが閉じた場合に枠体との間に隙間が発生しないように調整し、この状態で互いに抱き合っている上記側板をネジ止めなどにて連結・固定したことを特徴とする門形枠体の取付け構造。
【請求項２】
建築壁の一部に設ける出入口に嵌って引戸やドアが装着される門形枠体を鉄筋下地補強に取付ける構造において、鉄筋下地補強には概略コ形断面の長尺材をなす第１パッキング材を取着し、枠体の背面には概略コ形断面の長尺材を成す第２パッキング材を取付け、これら第１パッキング材と第２パッキング材のうちで少なくとも一方のパッキン材の片側板の長さを短くし、これら第１パッキング材と第２パッキング材の長い方の側板を互いに当接して抱き合わせ、上記引戸やドアが閉じた場合に枠体との間に隙間が発生しないように調整し、この状態で互いに抱き合っている上記側板をネジ止めなどにて連結・固定し、さらに短い方の側板を第３パッキング材を介して連結・固定したことを特徴とする門形枠体の取付け構造。
【請求項３】
第３パッキング材の片側に屈曲して設けた係合片を、第２パッキング材のコーナーに形成した係合溝に嵌めた請求項２記載の門形枠体の取付け構造。
【請求項４】
上記第１パッキング材、第２パッキング材、及び第３パッキング材の材質をアルミ材とした請求項１、請求項２、又は請求項３記載の門形枠体の取付け構造。
【発明の詳細な説明】
【技術分野】
【０００１】
本発明は建築壁の一部に設ける出入口に嵌って引戸や開閉ドアを装着する為の門形枠体であって、この門形枠体を鉄筋下地補強に取付ける構造に関するものである。
【背景技術】
【０００２】
建築壁の一部に出入口となる引戸やドアが装着されるが、この場合、建築壁には門形枠体が取付けられ、この門形枠体内に上記引戸やドアが取付けられる。上記門形枠体は両縦桟と上桟(横桟)を枠組みして構成され、建築壁の鉄筋下地補強に固定されている。ところで、建築壁の鉄筋下地補強の縦補強材は床面に対して垂直に起立しているがその垂直精度は厳密でなく、同じく上補強材の場合も天井に対しての平行度は厳密ではなく、上記門形枠体を取付ける場合にはその縦桟が正しく起立すると共に上桟が水平に配置するように調整されている。
【０００３】
枠体が正しく取付けられていない場合、装着される引戸やドアが閉じた際には、縦桟と戸先の間に隙間が発生する。又、上桟の場合には中央部が撓んで隙間を発生することもある。図６は門形枠体（ヌ）に引戸（ル）が装着され、該引戸（ル）が閉じた場合を表している。そして、取付けた門形枠体（ヌ）の縦桟（イ）が正しく起立していないことで隙間（オ）が生じている。
【０００４】
図７はドア（ホ）が装着される門形枠体の縦桟（イ）が縦補強材（ロ）に固定されている取付け構造を表している。縦桟（イ）は縦補強材（ロ）にボルト（ハ）で固定されているが、該縦桟（イ）と縦補強材（ロ）との間には対を成す２個のクサビ（ニ）、（ニ）が介在している。
【０００５】
この２個のクサビ（ニ）、（ニ）を出入れすることで縦桟（イ）が正しく起立し、この状態でボルト（ハ）を固定し、枠体に装着されるドア（ホ）が閉じた際に縦桟（イ）との間に隙間（オ）が発生しないように調整作業が行われる。この調整作業は一箇所ではなく少なくとも上下位置においてクサビ（ニ）、（ニ）の出入れを行うことが必要とされ、枠体全体をこのように調整するのに手間がかかり面倒である。
【０００６】
図７(ａ)は横断面を、(ｂ)は縦断面を示しているように、縦桟（イ）のみならず枠体の上桟（ヘ）もクサビ（ニ）、（ニ）を介在して鉄筋下地補強である上補強材（ト）にボルト締めされている。従って、ドア（ホ）と上桟（ヘ）との隙間調整も同じく２個のクサビ（ニ）、（ニ）を出し入れして行われる。図７の場合には門形枠体（ヌ）に装着されているのはドア（ホ）であり、該ドア（ホ）が閉じた際には縦桟（イ）及び上桟（ヘ）との間には僅かな隙間が介在しているが、図６に示しているような不均一な隙間（オ）ではない。
【０００７】
図８はクサビ（ニ）、（ニ）とバンド（チ）にて縦桟（イ）を起立している取付け構造である。上記縦桟（イ）の背面（リ）にはバンド（チ）の中央部はネジ止めにて固定されると共にバンド（チ）の両端部は縦補強材（ロ）にネジ止めされている。そして、バンド（チ）の付近には対を成す２個のクサビ（ニ）、（ニ）が縦桟（イ）と補強スタッド（ロ）の間に介在している。そこで、縦桟（イ）が正しく起立するようにクサビ（ニ）、（ニ）を出入れすることが出来、起立した状態でバンド（チ）の両端部を補強スタッド（ロ）に固定している。しかし、このような取付け構造の場合も、複数個所にバンド（チ）、（チ）・・を設けると共に、複数個所にクサビ（ニ）、（ニ）・・を配置して調整しなくてはならない。
【発明の開示】
【発明が解決しようとする課題】
【０００８】
このように、従来の枠体の取付け構造には上記のごとき問題がある。本発明が解決しようとする課題はこの問題点であり、枠体の調整が手軽に出来る門形枠体の取付け構造を提供する。
【課題を解決するための手段】
【０００９】
本発明が対象とする門形枠体は両縦桟と上桟とが枠組みされ、この門形枠体内に引戸が装着され、又開閉ドアが装着される。ここで、引戸及びドアが閉じる際に上記枠体との間に隙間が発生しないように該枠体は調整して鉄筋下地補強に取付けられる。すなわち、枠体の縦桟は鉄筋下地補強の縦補強材に調整して固定され、枠体の上桟は鉄筋下地補強の上補強材に調整して固定される。
【００１０】
ところで、本発明では鉄筋下地補強と枠体の間に概略コ形断面のパッキング材が介在している。パッキング材は鉄筋下地補強側に固定される第１パッキング材と枠体側に固定される第２パッキング材を有し、必要に応じて第３パッキング材が使用される。第１パッキング材と第２パッキング材は概略コ形断面の長尺材で、その両側板は当接して抱き合うことが出来、枠体が正しく取付けられた状態で両パッキング材の側板を連結・固定する。
【００１１】
第２パッキング材は枠体の背面に前以て取着されると共に鉄筋下地補強には第１パッキング材が取付けられ、この状態で門形枠体を嵌めることが出来るように第１パッキング材及び第２パッキング材の片方の側板を短くすることが出来る。この場合には、短くした側板を連結する為に第３パッキング材を用いて第１、第２の両パッキング材の側板を連結した構造となる。
【発明の効果】
【００１２】
本発明の門形枠体は第１パッキング材と第２パッキング材を介して鉄筋下地補強に取付けられ、枠体の調整はいたって簡単である。すなわち、従来のようなクサビを出し入れする必要はなく、枠体が正しく起立したところで互いに当接して抱き合う両パッキング材の側板同士をネジ止めなどにて連結・固定することで該枠体が固定される。
【００１３】
又、概略コ形断面の第１パッキング材及び第２パッキング材の片側板を短くすることで、第１パッキング材を鉄筋下地補強に取着し、第２パッキング材を枠体背面に取付けた状態で門形枠体を嵌めることが出来、この場合には短くなった側板を第３パッキング材にて連結することが出来る。何れの取付け構造の場合でも枠体の調整は簡単で短時間に行うことが可能となる。
【実施例】
【００１４】
図１は本発明に係る枠体を構成する縦桟の取付け構造を表す実施例である。同図の１は門形枠体を構成する一方の縦桟、２は引戸、３は縦補強材、４は第１パッキング材、５は第２パッキング材、６は第３パッキング材をそれぞれ表している。ここで、第１パッキング材４は鉄筋下地補強を構成する縦補強材３にネジ止めされ、第２パッキング材５は縦桟１の背面にネジ止めされている。そして、第３パッキング材６は第１パッキング材４と第２パッキング材５の側板を連結した構造と成っている。
【００１５】
図２は第１パッキング材を、図３は第２パッキング材を、図４は第３パッキング材を夫々表しており、第１パッキング材４と第２パッキング材５は概略コ形断面を成した長尺材である。第３パッキング材６は細長い概略平板と成っている。そして、上記第１パッキング材４は背板７と両側板８ａ，８ｂを有し、一方の側板８ａは他方の側板８ｂより長くなっており、同じく第２パッキング材５も背板９と両側板１０ａ，１０ｂを有し、一方の側板１０ａは他方の側板１０ｂより長くなっている。
【００１６】
ところで、第１パッキング材４は縦補強材３にネジ止めにて取付けられ、第２パッキング材５は縦桟１の背面にネジ止めにて取着されている。左右の両縦桟１，１の背面に第２パッキング材５，５が取付けられた状態で、しかも上桟にも第２パッキング材５が取付けられた状態で両縦補強材３，３、及び上補強材(図示なし)の間に嵌められる。第１パッキング材４及び第２パッキング材５の片側側板８ｂ，１０ｂの長さが短くなっている為に、第１パッキング材４，４を取付けた縦補強材３，３と上補強材からなる鉄筋下地補強で形成される空間に容易に嵌ることが出来る。
【００１７】
そこで、縦桟１は上記第１パッキング材４と第２パッキング材５を介して縦補強材３に連結するが、引戸２が閉じた際に縦桟１の戸当り面１１との間に隙間が生じないように起立させることが必要である。門形枠体が嵌った状態では第１パッキング材４の側板８ａと第２パッキング材５の側板１０ａは互いに当接し合い、第１パッキング材の側板８ｂと第２パッキング材５の側板１０ｂとの間には隙間(空間)が残されている。
【００１８】
そこで、縦桟１が正しく起立した状態で互いに当接して抱き合っている両側板８ａ，１０ａはネジ止めにて固定される。一方の短い側板８ｂ，１０ｂは第３パッキング材６を用いて連結される。すなわち、側板８ｂと第３パッキング材６がネジ止めされ、側板１０ｂと第３パッキング材６がネジ止めされている。そして、第３パッキング材６の片側には係合片１２が屈曲して設けられ、該係合片１２は第２パッキング材５のコーナーに形成している係合溝１３に係合することが出来る。
【００１９】
第２パッキング材５の背板９は縦桟１の背面に固定されるために、係合溝１３に係合した係合片１２は位置決めされて第３パッキング材６は位置ズレすることはない。そして、この状態で第３パッキング材６は第２パッキング材５の側板１０ｂに固定される。図２、図３に示している第１パッキング材４及び第２パッキング材５は、片方の側片８ｂ，１０ｂが共に短くなっているが、何れか一方のパッキング材の側片を短くすることでもよい。
【００２０】
図５は本発明に係る縦桟１の取付け構造を表している他の実施例である。該縦桟１は互いに連結している第１パッキング材１４と第２パッキング材１５を介して縦補強材３に取付けられている。第１パッキング材１４は概略コ形断面の長尺材であり、第２パッキング材１５も概略コ形断面の長尺材と成っている。そして、第１パッキング材１４の両側板の間に第２パッキング材１５の両側板が嵌って互いに当接し合い、抱き合っている側板同士がクギ又はタッカーにて固定されている。
【００２１】
この実施例の場合も、縦桟１の戸当り面１１に引戸２の戸先が隙間なく当接するように該縦桟１は調整される。正しく起立したところで側板同士がクギ打ちなどにて固定され、第１パッキング材１４と第２パッキング材１５は連結・固定されて縦桟１を縦補強材３に取着している。本発明では第１パッキング材、第２パッキング材、及び第３パッキング材の材質は特に限定しないが、アルミ材を使用するならば、下穴を設けることなくクギ打ちやタッカー打ちが可能であり、ネジ止めに比較して便利である。
【００２２】
図１及び図５は門形枠体の縦桟１を垂直に起立して縦補強材３に固定する取付け構造を示しているが、該門形枠体の上桟を上補強材に固定する取付け構造も同じようになる。すなわち、第１パッキン材を鉄筋下地補強の上補強材に固定すると共に上桟には第２パッキン材を取着し、上桟が引戸やドアとの間に隙間なく水平に配置されたところで両パッキン材を連結固定する。
【図面の簡単な説明】
【００２３】
【図１】本発明に係る門形枠体の縦桟取付け構造。
【図２】第１パッキング材の具体例。
【図３】第２パッキング材の具体例。
【図４】第３パッキング材の具体例。
【図５】本発明に係る門形枠体の縦桟取付け構造。
【図６】門形枠体に引戸が装着されている場合。
【図７】従来の縦桟取付け構造。
【図８】従来の縦桟取付け構造。
【符号の説明】
【００２４】
１  縦桟
２  引戸
３  縦補強材
４  第１パッキング材
５  第２パッキング材
６  第３パッキング材
７  背板
８  側板
９  背板
10  側板
11  戸当り面
12  係合片
13  係合溝
14  第１パッキング材
15  第２パッキング材
【図１】
2007262803.tif 000003
【図２】
2007262803.tif 000004
【図３】
2007262803.tif 000005
【図４】
2007262803.tif 000006
【図５】
2007262803.tif 000007
【図６】
2007262803.tif 000008
【図７】
2007262803.tif 000009
【図８】
2007262803.tif 000010